【手続補正書】
【提出日】平成25年12月3日(2013.12.3)
【手続補正１】
【補正対象書類名】特許請求の範囲
【補正対象項目名】全文
【補正方法】変更
【補正の内容】
【特許請求の範囲】
【請求項１】
互いに対向する一対の電極の向かい合う面積を変えることで静電容量を可変させる回転コンデンサーであって、
軸線周りに回転する回転軸を備え、
前記一対の電極は、
前記回転軸から径方向の外側へ張り出す第１の電極板と、
前記回転軸の軸線方向に離間し前記第１の電極板と対向して配置された第２の電極板とを有し、
前記第１の電極板の縁部には、板厚方向に切欠きが形成されている、
回転コンデンサー。
【請求項２】
前記切欠きは、前記第１の電極板の前記縁部である側辺の延在方向に複数形成されている、
請求項１に記載の回転コンデンサー。
【請求項３】
互いに対向する一対の電極の向かい合う面積を変えることで静電容量を可変させる回転コンデンサーであって、
軸線周りに回転する回転軸を備え、
前記一対の電極は、
前記回転軸から径方向の外側へ張り出す第１の電極板と、
前記回転軸の軸線方向に離間し前記第１の電極板と対向して配置された第２の電極板とを有し、
前記第１の電極板は、絶縁体からなる電極板本体と、前記電極板本体の前記第２の電極板側の表面を被覆する導電体からなる表面層と、を有する、
回転コンデンサー。
【請求項４】
互いに対向する一対の電極の重なり合う面積を変えることで静電容量を可変させる回転コンデンサーであって、
軸線周りに回転する回転軸を備え、
前記一対の電極は、
前記回転軸から径方向の外側へ張り出す第１の電極板と、
前記回転軸の軸線方向に離間し前記第１の電極板と対向して配置された第２の電極板とを有し、
前記第１の電極板の縁部には、中央部よりも厚さが薄い薄肉部が形成されている、
回転コンデンサー。
【手続補正２】
【補正対象書類名】明細書
【補正対象項目名】００１２
【補正方法】変更
【補正の内容】
【００１２】
また、本発明は、互いに対向する一対の電極の向かい合う面積を変えることで静電容量を可変させる回転コンデンサーであって、軸線周りに回転する回転軸を備え、一対の電極は、回転軸から径方向の外側へ張り出す第１の電極板と、回転軸の軸線方向に離間し第１の電極板と対向して配置された第２の電極板とを有し、第１の電極板の縁部には、中央部よりも厚さが薄い薄肉部が形成されている、回転コンデンサーを提供する。
【手続補正３】
【補正対象書類名】明細書
【補正対象項目名】００１９
【補正方法】変更
【補正の内容】
【００１９】
鉄心３には、リング状の空間３ａが形成され、この空間３ａ内にコイル４が収容されている。コイル４の内側には、真空容器２（真空箱）が配置されている。コイル４に電流を流すことで、真空容器２内を上下方向Ｚに通過する磁場が形成され、真空容器２内を通過した磁場は、コイル４の外側の鉄心３を通って元に戻る。
【手続補正４】
【補正対象書類名】明細書
【補正対象項目名】００２０
【補正方法】変更
【補正の内容】
【００２０】
加速電極５には、高周波電源（不図示）からの高周波電力の共振周波数を変調するための共振回路１０が接続されている。図５は、共振回路１０及び回転コンデンサー１１を示す断面図である。共振回路１０は、加速電極５と電気的に接続された内導体１０Ａと、内導体１０Ａの外側に配置された外導体１０Ｂとを備えている。外導体１０Ｂは筒状を成し、その内部に内導体１０Ａが挿通されている。
【手続補正５】
【補正対象書類名】明細書
【補正対象項目名】００２３
【補正方法】変更
【補正の内容】
【００２３】
回転羽根１３は、例えば、銅やアルミニウム等の板材によって形成することができる。回転羽根１３は、正面視において（回転軸１２の軸線方向Ｘから見て）、例えば、扇型を成している。回転羽根１３は、図６に示すように、円弧状の外周部１３ａ、外周部１３ａの両端から屈曲され回転軸１２の周面１２ａへ向かって延在する一対の側辺１３ｂ，１３ｂを有する。
【手続補正６】
【補正対象書類名】明細書
【補正対象項目名】００２９
【補正方法】変更
【補正の内容】
【００２９】
ここで、図８に示すように、回転羽根１３の側辺１３ｂ（縁部）には、複数の切欠き２１が設けられている。切欠き２１は、板厚方向に貫通し、例えば、平面視において（板厚方向から見て）矩形状に形成されている。また、切欠き２１は、側辺１３ｂから回転羽根１３の中央部側へ延びている。更に、切欠き２１は、例えば、側辺１３ｂの延在方向に所定の間隔で配置されている。なお、図８では、１枚の回転羽根１３のみを図示している。また、図６及び図７では、切欠き２１の図示を省略している。図８では、切欠き２１が誇張して図示されているが、実際は、側辺１３ｂからの奥行きが２０〜３０ｍｍ、幅が１〜２ｍｍ程度である。
【手続補正７】
【補正対象書類名】明細書
【補正対象項目名】００３０
【補正方法】変更
【補正の内容】
【００３０】
切欠き２１の形状は、矩形状に限定されず、その他の形状でもよい。切欠き２１の形状としては、例えば、Ｖ字状、Ｕ字状、半円形状などが挙げられる。なお、切欠き２１の位置、大きさ、数量は適宜変更することができる。切欠き２１は、例えば、回転羽根１３の外周部１３ａ側の縁部（エッジ部）に形成されていてもよい。また、切欠き２１の開口幅は、特に限定されない。
【手続補正８】
【補正対象書類名】明細書
【補正対象項目名】００３５
【補正方法】変更
【補正の内容】
【００３５】
本実施形態の回転コンデンサー１１は、回転羽根１３の側辺１３ｂに、切欠き２１が形成されているため、回転羽根１３中を流れる渦電流Ｓの経路が切欠き２１によって妨げられる。これにより、渦電流Ｓが、切欠き２１を避けるように形成され、渦電流Ｓが流れ難くなる。その結果、回転羽根１３中を流れる渦電流Ｓを低減することで、回転コンデンサー１１の発熱を抑制することができる。
【手続補正９】
【補正対象書類名】明細書
【補正対象項目名】００３６
【補正方法】変更
【補正の内容】
【００３６】
回転コンデンサー１１では、発熱が抑制されているため、高速で回転羽根１３を回転させてシンクロサイクロトロン１の共振周波数を適正に変調させることができる。その結果、イオンの加速を好適に行い、安定した陽子ビームの照射を実現することができる。
【手続補正１０】
【補正対象書類名】明細書
【補正対象項目名】００４１
【補正方法】変更
【補正の内容】
【００４１】
このような第２実施形態に係る回転コンデンサーでは、絶縁体からなる電極板本体３２で剛性を保ち、導電体からなる表面層３３によって必要な高周波電流を流しつつ且つ表面層３３が薄く形成されているので、抵抗を増して、渦電流を抑制することができる。その結果、回転コンデンサーの発熱を抑えることができる。なお、積層構造の回転羽根３１に切欠き２１が形成されている構成でもよい。また、表面層３３は、電極板本体３２の外表面の全域に形成されていてもよく、例えば、電極板本体３２の縁部のみに形成されている構成でもよい。
【手続補正１１】
【補正対象書類名】明細書
【補正対象項目名】００４２
【補正方法】変更
【補正の内容】
【００４２】
次に、本発明の第３実施形態に係る回転コンデンサーについて説明する。図１０は、本発明の第３実施形態に係る回転コンデンサーの回転羽根の縁部を示す断面図である。第３実施形態の回転コンデンサーが第１実施形態の回転コンデンサー１１と異なる点は、側辺１３ｂに切欠き２１が形成された回転羽根１３に代えて、側辺（縁部）が薄肉である回転羽根４１を備えている点である。